【手続補正書】
【提出日】平成25年2月8日(2013.2.8)
【手続補正１】
【補正対象書類名】特許請求の範囲
【補正対象項目名】全文
【補正方法】変更
【補正の内容】
【特許請求の範囲】
【請求項１】
タッチ入力を受信するように構成されたタッチセンサ式ディスプレイと、
マーキングを前記タッチセンサ式ディスプレイを介して表示できるように、マーキング形式で前記タッチ入力を受信するように構成されたタッチ入力認識モジュールと、
前記タッチ入力に基づいて、複数の既定のジェスチャから特定のジェスチャを認識するように構成されたジェスチャ認識モジュールと、
前記特定のジェスチャを認識すると、前記マーキングから英数字文字を認識するように構成された文字認識モジュールと、
ＰＩＭ（個人情報管理）データベースを含むＰＩＭモジュールであって、前記ＰＩＭモジュールは、前記マーキングを、前記ＰＩＭデータベースの複数の様々なＰＩＭスキーマのうちの選択された１つに適用し、かつ前記英数字文字を、前記ＰＩＭデータベースに、前記ＰＩＭスキーマのうちの選択された１つに関連付けられた検索可能な項目として保存するように構成され、前記ＰＩＭスキーマのうちの選択された１つは、前記認識された特定のジェスチャに基づいて選択される、ＰＩＭモジュールと
を備えたことを特徴とするタッチセンサ式コンピュータ装置。
【請求項２】
前記タッチセンサ式ディスプレイと動作可能なようにつながれ、階層的かつ平面に連続して配列された複数の記録ページを保持するように構成されたデータ保持サブシステムをさらに備え、前記タッチセンサ式ディスプレイは、前記記録ページを選択的に表示するように構成され、前記マーキングは、前記複数の記録ページの１つにグラフィカルに配置されることを特徴とする請求項１に記載のタッチセンサ式コンピュータ装置。
【請求項３】
前記マーキングを、マークアップされた記録ページグラフィックのように、選択された記録ページグラフィックの一部として表示するように構成されたインクレンダリングモジュールと、前記マークアップされた記録ページグラフィックを、大容量記憶装置に保存させるように構成されたアナログ入力モジュールをさらに備えたことを特徴とする請求項１に記載のタッチセンサ式コンピュータ装置。
【請求項４】
前記タッチセンサ式ディスプレイおよび前記データ保持サブシステムと動作可能なようにつながれ、かつ前記複数の記録ページのための経時特性の表示を選択的に制御するように構成されたエージングモジュールをさらに備えたことを特徴とする請求項２に記載のタッチセンサ式コンピュータ装置。
【請求項５】
前記経時特性は、前記複数の記録ページに可変的に適用され、かつ黄変、染み、折り目、しわ、裂け目、ひだ、および汚れ跡を含むグループから選択されることを特徴とする請求項４に記載のタッチセンサ式コンピュータ装置。
【請求項６】
前記複数の記録ページの所与の１つに対し、前記エージングモジュールは、前記所与の１つの記録ページの経時の少なくとも１つ、および前記所与の１つの記録ページに関連付けられる使用量に基づき、前記所与の１つの記録ページの経時特性を制御するように構成されることを特徴とする請求項４に記載のタッチセンサ式コンピュータ装置。
【請求項７】
前記ジェスチャ認識モジュールは、前記特定のジェスチャを認識した上で、前記タッチセンサ式ディスプレイに、前記複数のＰＩＭスキーマのうちの選択された１つに対する前記マーキングの適用の確認を表示させることができるように構成されることを特徴とする請求項１に記載のタッチセンサ式コンピュータ装置。
【請求項８】
前記複数のＰＩＭスキーマは、予定表項目、作業項目、および連絡先項目の１つまたは複数を含むことを特徴とする請求項１に記載のタッチセンサ式コンピュータ装置。
【請求項９】
階層的かつ平面に連続して配列された複数の記録ページグラフィックを選択的に表示するように構成されたタッチセンサ式ディスプレイと、
マーキングを前記タッチセンサ式ディスプレイを介して前記複数の記録ページグラフィックのうちの選択された１つにグラフィカルに配置できるように、マーキング形式で前記タッチ入力を受信するように構成されたタッチ入力認識モジュールと、
前記タッチ入力に基づいて、複数の既定のジェスチャから特定のジェスチャを認識するように構成されたジェスチャ認識モジュールと、
前記記録ページグラフィックのうちの選択された１つからの前記マーキングを、複数のＰＩＭスキーマのうちの選択された１つに、前記特定のジェスチャの認識に応答して、適用するように構成されたユーザインタフェースと、
前記記録ページグラフィックの各々のための経時外観特性を、所定の経時的な状況および所定の使用状況にしたがって制御するように構成されたエージングモジュールと
を備えたことを特徴とするタッチセンサ式コンピュータ装置。
【請求項１０】
前記マーキングから英数字文字を認識し、かつ前記英数字文字を大容量記憶装置に保存するように構成された文字認識モジュールをさらに備えたことを特徴とする請求項９に記載のタッチセンサ式コンピュータ装置。
【請求項１１】
前記複数のＰＩＭスキーマは、予定表スキーマ、作業スキーマ、および連絡先スキーマを含むことを特徴とする請求項９に記載のタッチセンサ式コンピュータ装置。
【請求項１２】
前記複数の記録ページグラフィックのうちの選択された１つのため、前記所定の経時的な状況は、前記複数の記録ページグラフィックのうちの選択された１つの最初の使用からの継続時間を含み、前記所定の使用状況は、前記複数の記録ページグラフィックのうちの選択された１つにより受ける使用量を含むことを特徴とする請求項９に記載のタッチセンサ式コンピュータ装置。
【請求項１３】
前記経時外観特性は、黄変、染み、折り目、しわ、裂け目、ひだ、および汚れ跡を含むグループから選択されるグラフィカルな記録ページの表現を含むことを特徴とする請求項９に記載のタッチセンサ式コンピュータ装置。
【請求項１４】
前記マーキングの適用の確認を、前記複数のＰＩＭスキーマのうちの選択された１つのために表示するように構成されるユーザインタフェースをさらに備えたことを特徴とする請求項１に記載のタッチセンサ式コンピュータ装置。
【請求項１５】
タッチ入力を、コンピュータ装置において受信し、かつ処理する方法であって、前記方法は、
前記コンピュータ装置が、タッチセンサ式ディスプレイにおけるタッチ入力を、マーキング形式で受信するステップと、
前記コンピュータ装置が、前記タッチ入力に基づいて、複数の既定のジェスチャから特定のジェスチャを認識するステップと、
前記コンピュータ装置が、前記マーキングを、複数のＰＩＭスキーマのうちの選択された１つに適用するステップであって、前記ＰＩＭスキーマのうちの選択された１つは、前記認識された特定のジェスチャに基づいて選択される、適用するステップと
を備えたことを特徴とする方法。
【請求項１６】
前記コンピュータ装置が、記録ページグラフィックを、紙の記録の紙のページのように、前記タッチセンサ式ディスプレイに表示するステップと、
前記コンピュータ装置が、前記マーキングを、前記記録ページグラフィック上のシミュレーションされた筆記実施マーキングとして保存するステップと、
前記コンピュータ装置が、事前に選択された経時および／または使用基準にしたがって、前記記録ページグラフィックの外観を変更するステップと
をさらに備えたことを特徴とする請求項１５に記載の方法。
【請求項１７】
前記コンピュータ装置が、スクロールページジェスチャをインタフェースの表面上の入力装置から受信すると、追加の記録ページグラフィックを選択的に表示するステップをさらに備えたことを特徴とする請求項１６に記載の方法。
【請求項１８】
前記追加の記録ページグラフィックは、階層的かつ平面に連続して配列された複数の記録ページに基づくことを特徴とする請求項１７に記載の方法。
【請求項１９】
前記外観を変更するステップは、前記記録ページグラフィックを表示している時間の累積継続時間、および／または前記タッチセンサ式ディスプレイ表面上で受信されるタッチ入力の累積回数にしたがって、折り目、染み、しわ、裂け目、および汚れの１つまたは複数として現れるグラフィック特性を、前記記録ページグラフィックに追加するステップを含むことを特徴とする請求項１６に記載の方法。